(57)【要約】【課題】  冷え性、むくみ及び不眠症の症状を薬物を使用せずに生活習慣の改善に加えて、同時にしかも簡便に解決する冷え性、及び、むくみ改善の為の足浴用袋製剤を提供する。【解決手段】  足を入れる撥水性のフィルムを足の外形に添って袋状の袋の中に、面積が10cm×10cmから10cm×100cmの不織布或は織布をセットし、該袋内にハーブ又は香料、保湿剤、皮膚刺激剤及び香料から構成される混合液を１足の袋当たり５mlから５０mlの範囲で入れた冷え性、及び、むくみ改善の為の足浴用袋製剤。【選択図】図１
2015196031.tif 000002
【特許請求の範囲】
【請求項１】
足を入れる撥水性の袋の中に、不織布或は織布をセットし、該袋内にハーブ又は香料、保湿剤、皮膚刺激剤から構成される混合液を所定量入れたことを特徴とする冷え性及びむくみ改善の為の足浴用袋製剤。
【請求項２】
前記混合液は１足の袋当たり５mlから５０mlの範囲としたことを特徴とする請求項１に記載した冷え性、及び、むくみ改善の為の足浴用袋製剤。
【請求項３】
前記撥水性の袋は、ポリエチレン、ポリプロピレン、ナイロン、ビニロンから選択されるものを素材としたフィルムを足の外形に添って袋状に成形したものであることを特徴とする請求項１又は２に記載の冷え性、及び、むくみ改善の為の足浴用袋製剤。
【請求項４】
前記不織布或は織布は、セルロース、ナイロン、ビニロン、ポリエステル、ポリオレフィン、レーヨンから選択されことを特徴とする請求項１から３の記載から選択される冷え性、及び、むくみ改善の為の足浴用袋製剤。
【請求項５】
前記不織布或は織布の面積は、10cm×10cmから10cm×100cmであることを特徴とする請求項４に記載の冷え性、及び、むくみ改善の為の足浴用袋製剤。
【請求項６】
前記ハーブは、カモミール、バレリアン、リンデン、ラベンダー、クランベリー、クラリセージ及びオレンジピールから１種類以上から選択されることを特徴とする請求項１から５の記載から選択される冷え性、及び、むくみ改善の為の足浴用袋製剤。
【請求項７】
前記保湿剤はセリシン、シルクペプチド、加水分解コラーゲン末、カルボキシビニルポリマー、フェノキシエタノール、ペンチレングリコール、アルカンジオール、カプリリルグリコール、ヘキサンジール、ペンチレングリコール、イソプレングリコール、エリスリトール、グリセリン、オクトキシグリセリン、キシリトール、キシロビオース、ジグリセリン、ジプロピレングリコール、ソルビトール、プロピレングリコール、ポリエチレングリコール、ポリオキシエチレングリセリン、ポリオキシエチレンメチルグルコシド、ポリグリセリン、マルチトール、マンニトール、イソペンチルジオールＰＯＥメチルグルコシドといった多価アルコールから１種類以上から選択されることを特徴とする請求項１から６の記載から選択される冷え性、及び、むくみ改善の為の足浴用袋製剤。
【請求項８】
前記皮膚刺激剤としてトウガラシエキス、唐辛子チンキ、カプサイシン、ショウキョウエキス、ノニルサンワニリルアミドから１種類以上を選択して配合したことを特徴とする請求項１から７の記載から選択される冷え性、及び、むくみ改善の為の足浴用袋製剤。
【発明の詳細な説明】
【技術分野】
【０００１】
本発明は、冷え性及びむくみ改善や解消を目的とし、結果として不眠症改善をする足浴用袋製剤に関するものである。
【背景技術】
【０００２】
冷え性は特に手や足などの四肢末端が温まらず、冷えているような感覚が常に自覚される状態であり、血行障害、特に末梢血管などでの障害によって生じることが多い。冷え性の要因にはホルモン変動に伴う自律神経のバランスの乱れや間違ったダイエットによる栄養失調がある。冷え性に伴う慢性的な血行障害が原因でしもやけ、腰痛、肩こり、肌荒れ等が起き、さらには不眠障害に至ることも考えられる。冷え性は生活習慣病の側面があることから米、肉、魚、野菜等からバランスよく栄養を取る、朝は早起きして、夜は早めに寝る、毎日お風呂に入る、暖かい服を着て、暖かい布団で寝る、マッサージや柔軟体操をする、定期的に適度な運動やウォーキングをする、過度な酒やタバコを控えるといった生活改善をすることが大切であると言われているが、現代人にとってこれらの生活改善活動を実際に実施することは極めて困難な状況である。
【０００３】
むくみは顔や手足などの末端が体内の水分により痛みを伴わない状態で腫れる症状であり、一般的に浮腫とも言われる。病態は細胞組織の液体（細胞間質液）と血液の圧力バランスが崩れて細胞組織に水分が溜まって腫れる状態をいう。むくみが起こっている場所によって全身性と局所性に分けられ、その原因として内臓疾患のシグナルとなっている場合以外は、足の筋肉の鍛え方が不十分であることが考えられる。治療としてはナトリウムの摂取制限、水の摂取制限、利尿剤の投与に加えて足の筋肉を鍛えることが重要である。
【０００４】
しかしながら自由奔放な現代生活の中で、好きな飲料や食事の制限、更にコンスタントな運動を実践することは困難なことが多い。不眠症は、入眠困難・睡眠の維持が困難・体力の回復の無い睡眠であり、日中の活動に障害をもたらしたり苦痛である状態が1ヶ月以上続いていることと定義されている。臨床症状から入眠障害、中途覚醒、早朝覚醒、熟眠障害の大きく４種類に分類される。
不眠の原因は身体的要因、生理学的要因、心理学的要因、精神医学的要因、薬理学的要因といった複数の原因が考えられる。治療方法としては薬物療法と非薬物療法がある。
【０００５】
薬物療法はベンゾジアゼピン系と非ベンゾジアゼピン系鎮静催眠剤がある。これらの睡眠薬は、身体依存を引き起こし、慎重に断薬しないと離脱症状を引き起こす危険性を伴う。
アルコールは寝つきは良くなるが眠りが浅くなり早朝覚醒が増え、アルコールのもたらす入眠は不眠の原因となり得る。抗うつ薬ベンゾジアゼピンと同様に離脱症状やリバウンド不眠をもたらす可能性がある。睡眠のサイクルをコントロールしているホルモンであるメラトニンは、不眠症の治療歴のある人には効果が認められていない。抗ヒスタミン薬である塩酸ジフェンヒドラミンはアレルギー薬の副作用（眠気）を利用したものであって、不眠症の場合は長期に使用してはいけないことになっている。漢方薬は神経性不眠症・神経質性不眠症の患者で睡眠導入剤の依存傾向を作りやすい場合の切り替えに利用されるが困難なことが多いのが現状である。
【０００６】
冷え性、むくみ、及び、不眠症といった症状は女性を中心に一般の人々にとって共通の悩みとなっている。  共通の原因があるものの、複雑な生活環境の中では対応が極めて難しく、医療機関や自己療法によって冷え性、むくみ、及び不眠症に対する個々の治療法や改善対策が試みられている。
しかしながら、多忙な生活環境の中では十分な効果を期待することが出来ずに、一過性の対症療法に甘んじている現状にある。
【先行技術文献】
【特許文献】
【０００７】
【特許文献１】登録実用新案第３０５１６９０号公報
【特許文献２】特開２００５−２６１８９５号公報
【発明の開示】
【発明が解決しようとする課題】
【０００８】
冷え性は末梢の血行障害が原因で手や足の先などの四肢末端が温まらずに部分的な冷えを感じる状態であるが、ひとつの原因としてホルモン変動に伴う自律神経のバランスの乱れや間違ったダイエットによるタンパク質、ビタミン、ミネラル、脂肪などの摂取不足による栄養失調が考えられる。一般に女性は男性に比較して血流量に関係する筋肉量が少ないことが冷え性が女性に多い原因と考えられる。冷え性による症状はしもやけ、腰痛、肩こり，肌荒れなどが起き、睡眠の入りを悪くする原因にもなる。
【０００９】
冷え性の予防・改善には下記に示した(1)〜(9)の生活改善である程度の効果は期待できるが、自由に生きる現代人にとっては非常に束縛された状態を維持することは至難の業である。
(1)米・肉・魚・野菜等からバランスよく栄養を取る。
(2)早寝、早起きして睡眠不足を解消する。
(3)毎日入浴して十分に浴槽に浸かる。
(4)服を着込んで暖かくし、就寝時も布団をしっかり被って暖かくする。
(5)マッサージや柔軟体操を毎日実施する。
(6)定期的に適度な運動やウォーキングを行う。
(7)過度の酒やタバコを控える。
(8)クーラーの使用を最小限にする。
(9)冬場はマフラーなどを利用して首、手首、足首を暖めて保温する。
【００１０】
むくみは顔や手足などの末端が痛みを伴わずに体内の水分により腫れる症状であり、細胞組織の液体（細胞間質液）と血液の圧力のバランスが崩れた病態であり、別名を浮腫ともいう。全身性の浮腫と局所性の浮腫があり、検査の結果、内臓疾患の場合はナトリウムの摂取制限や水の制限に加えて利尿剤を投与する治療法がある。内臓疾患が無い場合は筋肉を鍛える対処方法が考えられる。むくみの症状は女性に多くみられ、特に足のむくみが多いのは男性に比較して筋肉量が少ないのに加えて筋肉を使う機会が少ないこと、更に育児といった生活習慣が大きく関与している可能性が高い。女性が生活習慣を変えることは極めて厳しい状況下で、足の筋肉を鍛える運動療法を実践することも日常生活の中では難しい現状にある。
【００１１】
不眠症は個人が睡眠困難を訴えている状況と定義され、長引く入眠困難、睡眠の質の悪化等の特徴を持っている。不眠症の要因には痛みや痒みを伴う身体疾患による身体的要因や生活環境の悪化による生理学的要因、ストレスといった心理学的要因、精神疾患による精神医学的要因、更にカフェイン、アルコール、薬物といったものによる薬理学的要因が複雑に絡み合った状態で発症している。不眠症の治療には薬物療法と非薬物療法がある。
薬物療法に用いるベンゾジアゼピンと非ベンゾジアゼピンは身体的依存を引き起こし、慎重に断薬しないと離脱症状を引き起こす危険性がある。アルコールは入眠困難の改善に使用されるが、不眠の原因にもなる。抗うつ役は離脱症状・リバウンド不眠をもたらす可能性がある。睡眠のサイクルをコントロールしているホルモンであるメラトニンは不眠症の治療歴のある人には効果が認められていない。
アレルギー薬の副作用である眠気を利用した抗ヒスタミン薬は長期に睡眠薬としては使用してはいけないことになっている。漢方薬は体質に合わす事が難しく、効果が緩和で長期間にわたって徐々に効果が表れるので、睡眠導入剤への依存傾向を作りやすいといった問題がある。
この発明が解決しようとする課題は、冷え性、むくみ及び不眠症の症状を薬物を使用せずに生活習慣の改善に加えて、同時にしかも簡便に解決する冷え性、及び、むくみ改善の為の足浴用袋製剤を提供することにある。
【課題を解決するための手段】
【００１２】
発明者は、冷え性、むくみ及び不眠症の症状を持つ人たちが、多忙な日常生活の中で薬物を利用せず、同時に三種類の症状を解消するには、どのようは方法を設定すればよいかという点について考察し、実験を重ねた。
そして、冷え性には皮膚刺激成分であるトウガラシエキスを主成分とした軟膏を足にマッサージしながら塗布することで解消できることを確認した。むくみは足をビニール袋に挿入して口を長時間にわたって密封し、発汗を促すことによって解消できた。更に、不眠症は鎮静作用や催眠作用を有するハーブ類を枕やシーツに敷きこむことによって就眠時の寝入りと心地よい睡眠を確保することができた。しかしながら、これら三種類の症状を日常生活の中で同時に解消することは極めて困難であった。
そこで発明者は、皮膚刺激成分であるトウガラシエキス含有軟膏を足に塗り、ビニール袋内に足を入れることによって冷え性とむくみも解消することに成功した。しかしながら、夜の不眠解消を日常生活の中で同時に実施することは難しい状況であった。そこで発明者は更に検討を重ねてビニール袋内にハーブを入れて、トウガラシエキス含有軟膏を処置した足を入れ、それを就寝時の布団内を被った状態で実施した結果、この発明を完成させることができた。
【００１３】
本発明に係る足浴用ハーブマスク製剤は、前記課題を解決したものであって、次のとおりのものである。
すなわち、請求項１の発明は、足を入れる撥水性の袋の中に、不織布或は織布をセットし、該袋内にハーブ又は香料、保湿剤、皮膚刺激剤から構成される混合液を所定量入れたことを特徴とする冷え性、及び、むくみ改善の為の足浴用袋製剤である。
請求項２の発明は、請求項１に記載した冷え性、及び、むくみ改善の為の足浴用袋製剤において、前記混合液は１足の袋当たり５mlから５０mlの範囲としたことを特徴とする。
請求項３の発明は、請求項１又は２に記載した冷え性、及び、むくみ改善の為の足浴用袋製剤において、前記撥水性の袋は、ポリエチレン、ポリプロピレン、ナイロン、ビニロンから選択されるものを素材としたフィルムを足の外形に添って袋状に成形したものであることを特徴とする。
請求項４の発明は、請求項１から３の記載から選択される冷え性、及び、むくみ改善の為の足浴用袋製剤において、前記不織布或は織布は、セルロース、ナイロン、ビニロン、ポリエステル、ポリオレフィン、レーヨンから選択されことを特徴とする。
請求項５の発明は、請求項４に記載の冷え性、及び、むくみ改善の為の足浴用袋製剤において、 前記不織布或は織布の面積は、10cm×10cmから10cm×100cmであることを特徴とする。
【００１４】
請求項６の発明は、請求項１から５に記載から選択される冷え性、及び、むくみ改善の為の足浴用袋製剤において、前記ハーブは、カモミール、バレリアン、リンデン、ラベンダー、クランベリー、クラリセージ及びオレンジピールから１種類以上から選択されることを特徴とする。
請求項７の発明は、請求項１から６に記載から選択される冷え性、及び、むくみ改善の為の足浴用袋製剤において、前記保湿剤はセリシン、シルクペプチド、加水分解コラーゲン末、カルボキシビニルポリマー、フェノキシエタノール、ペンチレングリコール、アルカンジオール、カプリリルグリコール、ヘキサンジール、ペンチレングリコール、イソプレングリコール、エリスリトール、グリセリン、オクトキシグリセリン、キシリトール、キシロビオース、ジグリセリン、ジプロピレングリコール、ソルビトール、プロピレングリコール、ポリエチレングリコール、ポリオキシエチレングリセリン、ポリオキシエチレンメチルグルコシド、ポリグリセリン、マルチトール、マンニトール、イソペンチルジオールＰＯＥメチルグルコシドといった多価アルコールから１種類以上から選択されることを特徴とする。
請求項８の発明は、請求項１から７に記載から選択される冷え性、及び、むくみ改善の為の足浴用袋製剤において、前記皮膚刺激剤としてトウガラシエキス、唐辛子チンキ、カプサイシン、ショウキョウエキス、ノニルサンワニリルアミドから１種類以上を選択して配合したことを特徴とする。
【００１５】
[作用」
この発明に係る足浴用ハーブマスク製剤においては、撥水性の足の形状に加工した袋の中に足の甲と裏を覆う程度の不織布或は布を入れてセットし、その袋内にハーブ或はハーブ抽出液を入れ、更に多価アルコールの保湿剤と皮膚刺激薬を入れ、必要に応じて香料を添加して調整する。セットされた袋に足を入れると撥水性の袋は足の挿入口以外は密封であり、保湿剤の効果を一層高め、足の皮膚角質層の保湿性を高めてつややかな状態にする。
更に、ハーブの有効成分の揮発性を高めた結果、揮発成分が寝具の中に充満され、呼吸によって吸引することによって精神的なリラックス効果を与えて入眠を容易に導いてくれる。同時に皮膚刺激薬が保湿剤と保温で感受性が高まった皮膚を効果的に刺激して足の血行を改善する。香料はハーブ成分の効果を補佐し、アロマ効果を持続させる。
以上の複数の効果が相加的或は相乗的に作用して冷え性、むくみといった足の症状を緩和し、更に睡眠を容易にする環境を作り出す作用を示す。
【発明の効果】
【００１６】
本発明によれば、撥水性の足を入れる袋の中に、不織布或は布をセットし、袋内にハーブ、保湿剤、皮膚刺激剤及び香料から構成される混合液を一定量入れることによって調整された足浴用ハーブマスク製剤の袋内に素足をいれて、固定用のソックスを履いた状態で布団に入り、就床する。すると体温と布団の保温効果で足が暖まり、皮膚刺激剤の刺激効果によって足の血行が更に改善され、むくみと冷え性の解消と睡眠導入が容易になる。
更にハーブ成分が保温と血流改善によって揮発性が高まり、被覆された布団内に充満した後、吸気によって鼻粘膜を刺激し、同時に肺より吸収されることによって精神的なリラックス効果を発揮して入眠と適度な睡眠を誘導する。
更に、保湿剤である多価アルコールが接触した足の保湿性を高めて柔軟にすると同時に、皮膚刺激剤が皮膚内への浸透性を高めることによってホカホカ感と共に血流改善の持続性を発揮し、結果的に冷より効果的にむくみの解消と冷え性の改善に続いて快適な睡眠の持続性を発揮する。
【図面の簡単な説明】
【００１７】
【図１】本発明の実施例１及び実施例２と比較例との冷え性に対する効果比較試験の表１の図、
【図２】同、むくみ(浮腫)に対する効果比較試験の表２の図、
【図３】同、寝付け(寝入り)に対する効果比較試験の表３の図、
【図４】本発明の実施例２の保湿性(しっとり感)に対する効果比較試験の表４の図である。
【発明を実施するための形態】
【００１８】
次に、本発明の好適な冷え性、及び、むくみ改善の為の足浴用袋製剤の実施例を説明する。
第１の実施例１の冷え性、及び、むくみ改善の為の足浴用袋製剤の混合液の組成比を表１に示す。
[表１]
[実施例１の組成比]
セリシン・・・・・・・・・・１０.０ｗ/ｗ％
シルクペプチド・・・・・・・・５.０ｗ/ｗ％
ポリビニルピロリドン・・・・・３.０ｗ/ｗ％
グリセリン・・・・・・・・・３５.０ｗ/ｗ％
ペンチレングリコール・・・・１０.０ｗ/ｗ％
フェノキシエタノール・・・・・０.１ｗ/ｗ％
トウガラシチンキ・・・・・・・０.２ｗ/ｗ％
ラベンダーオイル・・・・・・・０.１ｗ/ｗ％
精製水・・・・・・・・・・・３６.６ｗ/ｗ％
合計      １００.０ｗ/ｗ％
【００１９】
[実施例１の調製方法]
実施例１の冷え性、及び、むくみ改善の為の足浴用袋製剤は、前記の組成比になるように、次のような手段で調製する。なお、上記の実施例１の組成の重量％の合計は１００％である。
先ず、精製水に保湿剤としてセリシンの１０.０ｗ/ｗ％を加えて混合した後に、同じく保湿剤としてシルクペプチドを５.０ｗ/ｗ％を加えて溶解するまで一定時間混合・攪拌する。この液に、皮膚刺激剤として好ましくはトウガラシチンキを０.１ｗ/ｗ％から０.３ｗ/ｗ％、より好ましくは０.２ｗ/ｗ％と、フェノキシエタノールを０.０５ｗ/ｗ％から０.２ｗ/ｗ％、より好ましくは０.１ｗ/ｗ％を加え、ハーブ又は香料としてラベンダーオイルを、０.０５から０.２ｗ/ｗ％、好ましくは０.１ｗ/ｗ％を加え、更に、保湿剤としてポリビニルピロリドンの３.０ｗ/ｗ％を攪拌下に少量づつ添加して溶解させる。
次に、この溶解液に保冷剤として、ペンチレングリコール９ｗ/ｗ％から１１ｗ/ｗ％、好ましくは１０.０ｗ/ｗ％、更に、保湿剤としてグリセリンを３０ｗ/ｗ％から４０ｗ/ｗ％、好ましくは３５.０ｗ/ｗ％をグリセリンを加えて、一定時間混合・攪拌し、２４時間室温放置して製造する。
【００２０】
本発明の実施例１の冷え性、むくみ及び寝付きに対する効果を検証するために、下記の比較例１を用意した。
（１）比較例１：アクリル・ウール・ナイロン・ポリウレタンで構成された糸によって編み上げたソックス（足袋）
【００２１】
[不眠症に関係する冷え性、むくみ、寝つきに対する効果比較試験]
（１）被検体
被検体としては実施例１と比較例１を用意した。
（２）被験者：冷え性でむくみと寝付きが悪い症状を持つ女性ボランティア１０名（年齢４２〜５８歳、Ｎo.１〜１０）
（３）試験方法：被験者は比較例１のソックスを就寝１時間前に履いて布団に入り、翌日の起床時までソックスを履いた状態を維持した。この操作を７日間連続して実施したのち、自身の持つ冷え性、むくみ及び寝入りについて下記の判定表に基づいて被験者自身に判定してもらった。そして７日間空けた後、比較例と同じように就寝１時間前に実施例１に足を入れた状態で床に就き、翌朝までこの状態を維持した。この操作を７日間連続して実施したのち、比較例と同様に冷え性、むくみ及び寝入りについて下記の判定基準に従って被験者自身に判定してもらった。
尚、原則として就寝時間は１１時、起床は７時として実施し、試験期間中の酒、タバコは禁止し、夜間の間食も禁止した。又、就寝時の服装は一定のパジャマを使用することとした。
【００２２】
自覚症状の判定基準表
（Ａ）冷え性：
非常に良くなった：著明改善（+++）・・・３点
良くなった：改善（++） ・・・・・２点
やや良くなった：やや改善（+）・・１点
ほとんど変わらない：不変（±）・ ０点
悪化した：悪化（−）  ・・・・・−１点
（Ｂ）むくみ：
非常に良くなった：著明改善（+++）・・・３点
良くなった：改善（++） ・・・・・２点
やや良くなった：やや改善（+）・・１点
ほとんど変わらない：不変（±）・０点
悪化した：悪化（−）・・・・・・−１点
（Ｃ）寝付き：
非常に良くなった：著明改善（+++）・・・３点
良くなった：改善（++） ・・・・・２点
やや良くなった：やや改善（+）・・１点
ほとんど変わらない：不変（±） ・０点
悪化した：悪化（−）・・・・・・−１点
【００２３】
（４）試験結果
前記の試験結果を次の[表１〜３]に示す。
前記の表１から判ることは、冷え性に対して７日間の使用でコントロール（ソックス）ではやや改善（+）が１０例中６例で６０％であったが、改善以上（++）は全くなく０％であった。
これに対して実施例１は、やや改善（+）以上では１０例中１０例で１００％であり、改善（+）以上で８例の８０％、著明改善では５例の５０％であった。
前記表２から判ることは、むくみ（浮腫）に対して７日間の使用で比較例２（コントロール）（ソックス）はやや改善（+）が１０例中２例の２０％であったが改善（++）以上は全たっく認められず改善（++）及び著明改善（+++）は共に０％であった。
これに対して実施例１は、やや改善（+）以上では１０例中１０例で１００％であり、改善（++）以上では、９例で９０％、著明改善（+++）では２例の２０％であった。
前記表３から判ることは、寝付きに対して７日間の使用でコントロール（ソックス）は、やや改善（+）以上では１０例中５例、５０％であり、改善（++）以上では、２例２０％であったが著明改善（+++）は全く認められず０％であった。
以上の結果から、就寝時のコントロールであるソックスの使用でも冷え性、むくみ及び寝入りに対する効果が認められたものの十分なものでは無かったのに対して、実施例１は、ソックス以上の効果が冷え性、むくみ及び寝付きに対して顕著な効果が確認され、実施例１の冷え性、むくみ及び寝入りに対する有効性が,言い換えれば冷え性、及び、むくみ改善が実証された。又、個々の被験者に共通して冷え性、むくみ及び寝付きに効果が表れたことから、これらの症状は共に関連した血流改善による相関的生理作用であると考えられた。
【００２４】
第２の実施例２、冷え性、及び、むくみ改善の為の足浴用袋製剤の混合液の組成比を表２に示す。
[表２]
[実施例２の組成比]
加水分解コラーゲン末・・・・・３.０ｗ/ｗ％
カルボキシビニルポリマー・・・１.０ｗ/ｗ％
ソルビトール・・・・・・・・・３０.０ｗ/ｗ％
ジプロピレングリコール・・・・・５.０ｗ/ｗ％
ペンチレングリコール・・・・・１０.０ｗ/ｗ％
フェノキシエタノール・・・・・・０.１ｗ/ｗ％
トウガラシエキス・・・・・・・・０.１ｗ/ｗ％
ショウキョウエキス・・・・・・・０.２ｗ/ｗ％
カモミール・・・・・・・・・・・０.１ｗ/ｗ％
精製水・・・・・・・・・・・・５０.５ｗ/ｗ％
合計        １００.０ｗ/ｗ％
【００２５】
[実施例の調整方法]
実施例２の冷え性、及び、むくみ改善の為の足浴用袋製剤は、前記の組成比になるように、次の手段で調整する。尚、上記実施例２の組成の重量％は１００％である。
先ず、精製水に保湿剤として加水分解コラーゲン末３.０ｗ/ｗ％と、保湿剤及び皮膚への付着を増進させる増粘剤としてカルボキシビニルポリマー１.０ｗ/ｗ％を攪拌下に徐々に加え、溶解するまで一定時間混合・攪拌する。
この液に保湿剤としてフェノキシエタノール０.１ｗ/ｗ％、皮膚刺激剤としてトウガラシエキスを０.０５ｗ/ｗ％から０.２ｗ/ｗ％より好ましくは０.１ｗ/ｗ％、ショウキョウエキスを０.１ｗ/ｗ％から０.３ｗ/ｗ％好ましくは０.２ｗ/ｗ％、ハーブ又は香料としてカモミールを０.０５ｗ/ｗ％から０.２ｗ/ｗ％、好ましくは０.１ｗ/ｗ％を加えて一定時間、混合攪拌する。
次に、この液に、保冷剤としてソルビトールを２５.０ｗ/ｗ％から３５.０ｗ/ｗ％好ましくは３０.０ｗ/ｗ％、保湿剤としてジプロピレングリコールを２５.０ｗ/ｗ％から３５.０ｗ/ｗ％好ましくは５.０ｗ/ｗ％、ペンチレングリコール８.０ｗ/ｗ％から１５.０ｗ/ｗ％好ましくは１０.０ｗ/ｗ％を加えて一定時間混合・攪拌したあと２４時間室温放置して製造する。
【００２６】
[不眠症に関係する冷え性、むくみ、寝つきに対する効果比較試験]
本発明の実施例２の冷え性、むくみ及び寝付きに対する効果を検証したが、表１から表３に示すように、実施例１と同じ傾向であったので、詳細は省略する。
【００２７】
実施例２では、皮膚の保湿（しっとり感）に対する効果も検証した。
下記の比較例２を用意した。
（１）比較例２：アクリル・ウール・ナイロン・ポリウレタンで構成された糸によって編み上げたソックス（足袋）
[皮膚保湿性に対する効果比較試験]
（１）被検体：
被検体として実施例２と比較例２を用意した。
（２）被験者：冷え性でむくみと寝付きが悪く、足の皮膚が荒れた（カサカサ）症を持つ女性ボランティア１０名（年齢４２歳〜５８歳、Ｎo.１〜１０）
（３）試験方法：被験者は比較例１のソックスを就寝1時間前に履いて布団に入り、翌日の起床時までソックスを履いた状態を維持した。この操作を５日間連続して実施ししたのち、足の皮膚のシットリ感について下記の判定表に基づいて被験者自身に判定してもらった。そして５日間空けた後、比較例２と同じように就寝1時間前に実施例２に足を入れた状態で床に就き、翌朝の起床時までこの状態を維持した。この操作を５日間連続して実施したのち、比較例と同様に足の保湿性（シットリ感）について下記の判定基準に従って被験者自身に判定してもらった。
尚、原則として就寝時間は午後１１時、起床時間は午前７時として実施し、試験期間中の酒、タバコは禁止し、夜間の間食も禁止した。また、就寝時の服装は一定のパジャマを使用することを義務付けた。
【００２８】
自覚症状の判定基準表
（Ｄ）皮膚保湿性（シットリ感）：
非常に良くなった：著明改善（+++）・・３点
良くなった：改善（++ ）・・・・・・・２点
やや良くなった：やや改善（+）・・・・１点
ほとんど変わらない：不変（±） ・・・０点
悪化した：悪化（−）・・・・・・・・−１点
【００２９】
（４）試験結果：
前記試験結果を[表４]に示す。
実施例２は被験者１０名中５名（５０％）が足の皮膚保湿性（シットリ感）に対して非常に良くなった（+++）と答え、残り５名も良くなった（++）と回答し、改善（++）以上では改善率１００％であった。
これに対して、コントロールである比較例２では非常によくなった（+++）、良くなった（++）及びやや良くなった（+）は皆無であり、ほとんど変わらないといった不変（±）が１０例中７例、逆に悪化（−）３例認められた。
従って、やや改善以上（+）では改善率０％であった。
以上の結果から、実施例２は足の皮膚に対して極めて高い保湿性を付与したのに対して比較例２であるソックスでは逆に足の皮膚保湿性を奪う傾向が認められた。
【００３０】
本発明の各実施例によれば、撥水性の足を入れる袋の中に、不織布或は布をセットし、袋内にハーブ、保湿剤、皮膚刺激剤及び香料から構成される混合液を一定量入れることによって調整された足浴用ハーブマスク製剤の袋内に素足をいれて、固定用のソックスを履いた状態で布団に入り、就床する。すると体温と布団の保温効果で足が暖まり、皮膚刺激剤の刺激効果によって足の血行が更に改善され、むくみと冷え性の解消と睡眠導入が容易になる。
更にハーブ成分が保温と血流改善によって揮発性が高まり、被覆された布団内に充満した後、吸気によって鼻粘膜を刺激し、同時に肺より吸収されることによって精神的なリラックス効果を発揮して入眠と適度な睡眠を誘導する。
更に、保湿剤である多価アルコールが接触した足の保湿性を高めて柔軟にすると同時に、皮膚刺激剤が皮膚内への浸透性を高めることによってホカホカ感と共に血流改善の持続性を発揮し、結果的に冷より効果的にむくみの改善・解消と冷え性の改善に続いて快適な睡眠の持続性を発揮する。
なお、本発明の特徴を損うものでなければ、上記の各実施例に限定されるものでないことは勿論である。
【図１】
2015196031.tif 000003
【図２】
2015196031.tif 000004
【図３】
2015196031.tif 000005
【図４】
2015196031.tif 000006